(57)【要約】【課題】非ガス燃焼加熱機器にて給湯用熱媒が回収した熱に関し、比較的シンプルな制御にて、第１加熱部と貯湯槽との夫々に対する熱供給の優先度を適切に調整する。【解決手段】制御部Ｃ１は、昇温後温度検出手段Ｔ４により検出された給湯用熱媒の温度が所定の目標温度になるように給湯用熱媒循環ポンプＰ２の回転速度を制御する形態で、給湯用熱媒循環路２５での給湯用熱媒の循環流量を制御する。【選択図】図１
2019070452.tif 000002
【特許請求の範囲】
【請求項１】
熱消費端末に供給される熱消費用熱媒を加熱する熱媒加熱システムであって、
前記熱消費端末に供給される熱消費用熱媒を循環する熱消費用熱媒循環路と、
前記熱消費用熱媒循環路の途中で、前記熱消費端末で熱が利用された後の熱消費用熱媒を加熱可能な第１加熱機器と、
前記熱消費用熱媒循環路の途中で前記第１加熱機器よりも前記熱消費端末に近い下流側で、熱消費用熱媒を加熱可能な第２加熱機器と、
運転を制御する制御部とを備え、
前記第１加熱機器は、
給湯へ熱を供給する給湯用熱媒を貯湯する貯湯槽と、
前記貯湯槽に接続された給湯用熱媒循環路と、
前記給湯用熱媒循環路の途中で、前記貯湯槽から流出した給湯用熱媒を昇温する第１熱源部と、
前記第１熱源部による昇温後の給湯用熱媒の温度を検出する昇温後温度検出手段と、
前記給湯用熱媒循環路で給湯用熱媒を圧送する給湯用熱媒循環ポンプと、
前記給湯用熱媒循環路の途中の前記第１熱源部よりも前記貯湯槽に近い下流側で、昇温された給湯用熱媒と前記熱消費端末から流れてきた熱消費用熱媒との熱交換を行なう第１加熱部とを有し、
前記第２加熱機器は、
熱消費用熱媒を加熱可能な第２加熱部と、
前記熱消費用熱媒循環路で熱消費用熱媒を圧送する熱消費用熱媒循環ポンプとを有し、
前記制御部は、前記昇温後温度検出手段により検出された給湯用熱媒の温度が所定の目標温度になるように前記給湯用熱媒循環ポンプの回転速度を制御する形態で、前記給湯用熱媒循環路での給湯用熱媒の循環流量を制御する熱媒加熱システム。
【請求項２】
前記制御部は、前記昇温後温度検出手段により検出された給湯用熱媒の温度が前記目標温度未満で低いほど、前記給湯用熱媒循環ポンプの回転速度を低くするように制御し、且つ前記昇温後温度検出手段により検出された給湯用熱媒の温度が前記目標温度を超えて高いほど、前記給湯用熱媒循環ポンプの回転速度を高くするように制御する形態で、前記給湯用熱媒循環路での給湯用熱媒の循環流量を制御する請求項１に記載の熱媒加熱システム。
【請求項３】
前記第１加熱機器は、コージェネレーション装置及びヒートポンプ装置及び太陽熱温水装置の少なくとも一つ以上を備えて構成されており、
前記第２加熱機器は、燃焼式給湯暖房機及び電気ヒータの少なくとも一つ以上を備えて構成されており、
前記熱消費端末は、床暖房装置及び浴室暖房乾燥機及びデシカント空調機の少なくとも一つ以上を備えて構成されている請求項１又は２に記載の熱媒加熱システム。
【発明の詳細な説明】
【技術分野】
【０００１】
本発明は、熱消費端末に供給される熱消費用熱媒を加熱する熱媒加熱システムに関する。
【背景技術】
【０００２】
特許文献１（特開２０１２−１０７７９３号公報）には、熱消費端末（暖房負荷）に対して供給する熱媒を２つの加熱機器で加熱する熱媒加熱システムが記載されている。
説明を追加すると、特許文献１の熱媒加熱システムは、熱消費端末に供給される熱消費用熱媒が循環する熱消費用熱媒循環路１５と、熱消費用熱媒循環路の途中で、熱消費端末で熱が利用された後の熱消費用熱媒を加熱可能な第１加熱部（暖房負荷熱交換器）１４と、熱消費用熱媒循環路の途中の第１加熱部１４よりも熱消費端末に近い下流側で、熱消費用熱媒を加熱可能な第２加熱部（ガス燃焼式熱交換器：図示なし）とを備えている。
更に、当該特許文献１の熱媒加熱システムは、非ガス燃焼加熱機器Ｂ（第１熱源部）と第１加熱部１４と貯湯槽２とに記載の順に給湯用熱媒を循環する給湯用熱媒循環路Ｒ４、Ｒ５、Ｒ６、Ｗ１、Ｗ２と、当該給湯用熱媒循環路Ｒ４、Ｒ５、Ｒ６、Ｗ１、Ｗ２にて給湯用熱媒を圧送する給湯用熱媒循環ポンプＰ１と、貯湯運転時に給湯用熱媒循環路Ｒ４、Ｒ５、Ｒ６、Ｗ１、Ｗ２を介して非ガス燃焼加熱機器Ｂから貯湯槽２の上部へ戻す湯水の温度を目標貯湯温度とするように、給湯用熱媒循環ポンプＰ１等を制御する制御部１６とを備えている。
【先行技術文献】
【特許文献】
【０００３】
【特許文献１】特開２０１２−１０７７９３号公報
【発明の概要】
【発明が解決しようとする課題】
【０００４】
特許文献１に開示の技術では、上述の如く、制御部１６が給湯用熱媒循環ポンプＰ１等を制御して貯湯槽２へ貯湯する熱媒の温度を目標貯湯温度へ制御する点が開示されている。
しかしながら、非ガス燃焼加熱機器Ｂにて給湯用熱媒が回収した熱に関し、第１加熱部１４と貯湯槽２との夫々に対する熱供給の優先度をどのようにするかについては、開示も示唆もされておらず、より効率的な熱利用を行う観点で改善の余地があった。
【０００５】
本発明は、上述の課題に鑑みてなされたものであり、その目的は、第１熱源部にて給湯用熱媒が回収した熱に関し、比較的シンプルな制御にて、第１加熱部と貯湯槽との夫々に対する熱供給の優先度を適切に調整することができる熱媒加熱システムを提供することにある。
【課題を解決するための手段】
【０００６】
上記目的を達成するための熱媒加熱システムは、
熱消費端末に供給される熱消費用熱媒を加熱する熱媒加熱システムであって、その特徴構成は、
前記熱消費端末に供給される熱消費用熱媒を循環する熱消費用熱媒循環路と、
前記熱消費用熱媒循環路の途中で、前記熱消費端末で熱が利用された後の熱消費用熱媒を加熱可能な第１加熱機器と、
前記熱消費用熱媒循環路の途中で前記第１加熱機器よりも前記熱消費端末に近い下流側で、熱消費用熱媒を加熱可能な第２加熱機器と、
運転を制御する制御部とを備え、
前記第１加熱機器は、
給湯へ熱を供給する給湯用熱媒を貯湯する貯湯槽と、
前記貯湯槽に接続された給湯用熱媒循環路と、
前記給湯用熱媒循環路の途中で、前記貯湯槽から流出した給湯用熱媒を昇温する第１熱源部と、
前記第１熱源部による昇温後の給湯用熱媒の温度を検出する昇温後温度検出手段と、
前記給湯用熱媒循環路で給湯用熱媒を圧送する給湯用熱媒循環ポンプと、
前記給湯用熱媒循環路の途中の前記第１熱源部よりも前記貯湯槽に近い下流側で、昇温された給湯用熱媒と前記熱消費端末から流れてきた熱消費用熱媒との熱交換を行なう第１加熱部とを有し、
前記第２加熱機器は、
熱消費用熱媒を加熱可能な第２加熱部と、
前記熱消費用熱媒循環路で熱消費用熱媒を圧送する熱消費用熱媒循環ポンプとを有し、
前記制御部は、前記昇温後温度検出手段により検出された給湯用熱媒の温度が所定の目標温度になるように前記給湯用熱媒循環ポンプの回転速度を制御する形態で、前記給湯用熱媒循環路での給湯用熱媒の循環流量を制御する点にある。
【０００７】
上記特徴構成によれば、特に、昇温後温度検出手段により検出された給湯用熱媒の温度が所定の目標温度になるように給湯用熱媒循環ポンプの回転速度を制御する形態で、給湯用熱媒循環路での給湯用熱媒の循環流量を制御するから、貯湯槽に貯湯される熱量が満タンでない場合は、貯湯槽から給湯用熱媒循環路へ流出する給湯用熱媒の温度が低いため、給湯用熱媒循環路に圧送される給湯用熱媒の流量を低減するよう給湯用熱媒循環ポンプの回転速度が制御される。そうすると、結果的に、第１加熱部へ流入する目標温度の給湯用熱媒の単位時間あたりの流量が少なくなるため、第１加熱部での給湯用熱媒による熱消費用熱媒の単位時間あたりの加熱量が抑制されると共に、貯湯槽への蓄熱が促進される。
一方、貯湯槽に貯湯される熱量が満タンになると、貯湯槽から給湯用熱媒循環路へ流出する給湯用熱媒の温度が高いため、給湯用熱媒循環路に圧送される給湯用熱媒の流量が増加するよう給湯用熱媒循環ポンプの回転速度が制御される。そうすると、結果的に、第１加熱部へ流入する目標温度の給湯用熱媒の単位時間当たりの流量が増加するため、第１加熱部での給湯用熱媒による熱消費用熱媒の単位時間あたりの加熱量が促進されると共に、貯湯槽への蓄熱が抑制される。
結果、昇温後温度検出手段により検出された給湯用熱媒の温度が所定の目標温度になるように給湯用熱媒循環ポンプの回転速度を制御する形態で、給湯用熱媒循環路での給湯用熱媒の循環流量を制御するだけで、貯湯槽が満タンでないときは貯湯槽への蓄熱を優先し、貯湯槽が満タンであるときには、第１加熱部への放熱（熱消費端末への熱供給）を優先することができる熱供給システムを実現できる。
即ち、第１加熱部への放熱（熱消費端末への熱供給）の優先度を低下させ、貯湯槽への十分な蓄熱により省エネ効果が顕著な給湯の優先度を向上させる形態で、第１熱源部の熱を有効利用できる。
因みに、第１加熱部への放熱（熱消費端末への熱供給）の優先度を低下させている場合で、熱消費端末への熱供給が著しく低下する場合であっても、上記特徴構成によれば、第２加熱部での熱消費用熱媒の加熱を補助する形で、熱消費用熱媒を昇温させることができるから、使用者の使用感の悪化を招くことのない運転が実現される。
【０００８】
熱媒加熱システムの更なる特徴構成は、
前記制御部は、前記昇温後温度検出手段により検出された給湯用熱媒の温度が前記目標温度未満で低いほど、前記給湯用熱媒循環ポンプの回転速度を低くするように制御し、且つ前記昇温後温度検出手段により検出された給湯用熱媒の温度が前記目標温度を超えて高いほど、前記給湯用熱媒循環ポンプの回転速度を高くするように制御する形態で、前記給湯用熱媒循環路での給湯用熱媒の循環流量を制御する点にある。
【０００９】
上記特徴構成によれば、貯湯槽への蓄熱量に応じて、第１加熱部での熱消費端末への放熱と貯湯槽への蓄熱の優先度とのバランスに関し、貯湯槽が空に近いほど貯湯槽への蓄熱が優先され、貯湯槽が満タンに近いほど、第１加熱部への放熱（熱消費端末への熱供給）が優先される形態で、適切に優先度を設定することができる。
【００１０】
本願に係る熱媒加熱システムとしては、
前記第１加熱機器は、コージェネレーション装置及びヒートポンプ装置及び太陽熱温水装置の少なくとも一つ以上を備えて構成されており、
前記第２加熱機器は、燃焼式給湯暖房機及び電気ヒータの少なくとも一つ以上を備えて構成されており、
前記熱消費端末は、床暖房装置及び浴室暖房乾燥機及びデシカント空調機の少なくとも一つ以上を備えて構成されていることが好ましい。
【図面の簡単な説明】
【００１１】
【図１】実施形態に係る熱媒加熱システムの概略構成図である。
【図２】別実施形態に係る熱媒加熱システムの概略構成図である。
【発明を実施するための形態】
【００１２】
以下に図面を参照して本発明の実施形態に係る熱媒加熱システムについて説明する。
図１は、実施形態の熱媒加熱システムの構成を示す図である。図示するように、熱媒加熱システムは、熱消費端末１０に供給する熱消費用熱媒を加熱するシステムであり、熱消費端末１０に供給される熱消費用熱媒を循環する熱消費用熱媒循環路Ｌ１、Ｌ２、Ｌ３と、熱消費用熱媒循環路Ｌ１、Ｌ２、Ｌ３の途中で、熱消費端末１０で熱が利用された後の熱消費熱媒を加熱可能な第１加熱機器２０と、熱消費用熱媒循環路Ｌ１、Ｌ２、Ｌ３の途中の第１加熱機器２０よりも熱消費端末１０に近い下流側で、熱消費用熱媒を加熱可能な第２加熱機器４０と、運転を制御する第１制御部Ｃ１（制御部の一例）及び第２制御部Ｃ２（制御部の一例）を備える。
尚、熱消費用熱媒循環路Ｌ１、Ｌ２、Ｌ３は、第１加熱機器２０の内部に配設される熱消費用熱媒第２流路Ｌ２と、第２加熱機器４０の内部に配設される熱消費用熱媒第３流路Ｌ３と、第１加熱機器２０及び第２加熱機器４０の外部に配設される熱消費用熱媒第１流路Ｌ１とから構成されている。
【００１３】
熱消費端末１０は、熱消費用熱媒が保有する熱を利用する装置であり、床暖房装置、浴室暖房乾燥機、デシカント空調機の少なくとも一つ以上を備えて構成されている。床暖房装置は、熱消費用熱媒から放熱される熱によって床などの資材を暖める装置である。浴室暖房乾燥機は、熱消費用熱媒から放出される熱によって浴室内の空気を暖めることで、浴室内の暖房や乾燥を行う装置である。デシカント空調機は、デシカント素子を用いて空調対象空間の除湿や加湿を行う装置であり、デシカント素子に供給する空気の加熱を行うときに熱消費用熱媒から放出される熱が利用される。例えば、熱消費用熱媒から放出される熱によって加熱した空気を用いてデシカント素子からの水分の脱離を行わせることで、乾燥したデシカント素子と、脱離した水分を含んだ空気が得られる。そして、乾燥したデシカント素子を用いて、空調対象空間に供給する空気中の水分を吸着させることで、空調対象空間の除湿を行うことができる。或いは、脱離した水分を含んだ空気を空調対象空間に供給することで、空調対象空間の加湿を行うことができる。
【００１４】
第１加熱機器２０は、給湯へ熱を供給する給湯用熱媒（例えば、湯水）を貯湯する貯湯槽５０と、貯湯槽５０に接続された給湯用熱媒循環路２５と、給湯用熱媒循環路２５の途中で、貯湯槽５０から流出した給湯用熱媒を昇温する第１熱源部Ｈと、当該第１熱源部Ｈによる昇温後の給湯用熱媒の温度を検出する第４温度センサＴ４（昇温後温度検出手段の一例）と、給湯用熱媒循環路２５で給湯用熱媒を圧送する給湯用熱媒循環ポンプＰ２と、給湯用熱媒循環路２５の途中の第１熱源部Ｈよりも貯湯槽５０に近い下流側で、昇温された給湯用熱媒と熱消費端末１０から流れてきた熱消費用熱媒との熱交換を行う第１加熱部２１とを有する。
加えて、第１加熱機器２０は、それ自身の動作を制御する第１制御部Ｃ１を有する。第４温度センサＴ４の計測結果は、第１制御部Ｃ１に伝達される。本実施形態では、第１加熱機器２０には、熱消費用熱媒第１流路Ｌ１に接続される熱消費用熱媒第２流路Ｌ２が設けられる。この熱消費用熱媒第２流路Ｌ２は、熱消費用熱媒第１流路Ｌ１を経由して第１加熱機器２０の流入部３３に供給された熱消費用熱媒が、流出部３４から熱消費用熱媒第１流路Ｌ１ヘ流出するまでの間に流れる流路である。
【００１５】
第１加熱機器２０は、コージェネレーション装置及びヒートポンプ装置及び太陽熱温水装置の少なくとも一つ以上を備えて構成される。本実施形態の場合、第１加熱機器２０の第１熱源部Ｈが、コージェネレーション装置及びヒートポンプ装置及び太陽熱温水装置の少なくとも一つ以上を備えて構成される。例えば、コージェネレーション装置は、熱と電気とを併せて発生させる装置である。例えば、コージェネレーション装置は、燃料電池を備えて構成され、その燃料電池で発生される電気と熱とを利用するタイプの装置や、エンジンとそのエンジンによって駆動される発電機とを備えて構成され、その発電機から出力される発電電力とエンジンから排出される熱とを利用するタイプの装置などである。
【００１６】
第２加熱機器４０は、熱消費用熱媒を加熱可能な第２加熱部４１と、熱消費用熱媒第３流路Ｌ３で第２加熱部４１よりも下流側で熱消費用熱媒の温度を測定する第１温度測定手段としての第１温度センサＴ１とを有する。加えて、第２加熱機器４０は、それ自身の動作を制御する第２制御部Ｃ２を有する。第１温度センサＴ１の測定結果は第２制御部Ｃ２に伝達される。
【００１７】
本実施形態では、第２加熱機器４０には、熱消費用熱媒第１流路Ｌ１に接続される熱消費用熱媒第３流路Ｌ３が設けられる。この熱消費用熱媒第３流路Ｌ３は、熱消費用熱媒第１流路Ｌ１を経由して第２加熱機器４０の流入部４２に供給された熱消費用熱媒が、第２加熱部４１を経由して流出部４３から熱消費用熱媒第１流路Ｌ１へ流出するまでの間に流れる流路である。また、熱消費用熱媒第３流路Ｌ３の途中には熱消費用熱媒循環ポンプＰ１が設けられており、この熱消費用熱媒循環ポンプＰ１により熱消費用熱媒第１流路Ｌ１及び熱消費用熱媒第２流路Ｌ２及び熱消費用熱媒第３流路Ｌ３での熱消費用熱媒の流動が行われる。熱消費用熱媒循環ポンプＰ１の動作は第２制御部Ｃ２が制御する。
【００１８】
第２加熱機器４０は、燃焼式給湯暖房機及び電気ヒータの少なくとも一つ以上を備えて構成される。燃焼式給湯暖房機は、ガスなどの燃料を燃焼した際に発生する熱を、湯や熱媒の加熱に利用させる装置である。電気ヒータは、通電により発生するジュール熱を、湯や熱媒の加熱に利用させる装置である。本実施形態の場合、第２加熱機器４０の第２加熱部４１が、燃焼式給湯暖房機及び電気ヒータなどで得られる熱により熱消費用熱媒を加熱可能に構成されている。
【００１９】
当該実施形態に係る熱媒加熱システムは、第１熱源部Ｈにて給湯用熱媒が回収した熱に関し、比較的シンプルな制御にて、第１加熱部２１と貯湯槽５０との夫々に対する熱供給の優先度を、貯湯槽５０への蓄熱具合に応じた形態で、適切に調整することを目的としている。
具体的には、第１制御部Ｃ１（制御部の一例）は、第４温度センサＴ４（昇温後温度検出手段の一例）により検出された給湯用熱媒の温度が所定の目標温度（当該実施形態にあっては、７０℃）となるように給湯用熱媒循環ポンプＰ２の回転速度を制御する形態で、給湯用熱媒循環路２５での給湯用熱媒の循環流量を制御する。
より詳細には、第１制御部Ｃ１は、第４温度センサＴ４により検出された給湯用熱媒の温度が、目標温度未満で低いほど、給湯用熱媒循環ポンプＰ２の回転速度を低くするように制御し、且つ第４温度センサＴ４により検出された給湯用熱媒温度が、目標温度を超えて高いほど、給湯用熱媒循環ポンプＰ２の回転速度を高くするように制御する形態で、給湯用熱媒循環路２５での給湯用熱媒の循環流量を制御する。
尚、当該熱媒加熱システムにあっては、当該制御を実行することにより、第４温度センサＴ４により検出された給湯用熱媒の温度が目標温度になるように給湯用熱媒循環ポンプＰ２の回転速度を制御する形態で、給湯用熱媒循環路２５での給湯用熱媒の循環流量を制御するだけで、貯湯槽５０が満タンでないときには貯湯槽５０への蓄熱が優先され、貯湯槽５０が満タンであるときには、第１加熱部２１への放熱（熱消費用熱媒への熱供給）が優先されることになる。
【００２０】
第１加熱部２１では、給湯用熱媒循環路２５を流れる給湯用熱媒と熱消費用熱媒第２流路Ｌ２を流れる熱消費用熱媒とが熱交換する。その結果、湯水によって熱消費用熱媒の昇温が行われる。そして、第１加熱部２１で昇温された熱消費用熱媒は、流出部３４から熱消費用熱媒第１流路Ｌ１に供給されて、その後、第２加熱機器４０へと至る。
【００２１】
第２加熱機器４０及び熱消費用熱媒循環ポンプＰ１は、熱消費端末１０が運転されているとき、第１温度センサＴ１で測定される熱消費用熱媒の温度が目標温度になるように、作動する。例えば、リモコン装置（図示せず）などによって熱消費端末１０の運転開始が指令されると、その指令は第２加熱機器４０の第２制御部Ｃ２に伝達される。そして、第２制御部Ｃ２は第２加熱機器４０が有する熱消費用熱媒循環ポンプＰ１を動作させて熱消費用熱媒の流動を開始させる。加えて、第２加熱機器４０に搭載されているメモリ（図示せず）などに熱消費端末１０の目標温度についての情報が予め記憶されており、第２制御部Ｃ２はその情報を読み出して利用する。そして、本実施形態では、第２制御部Ｃ２は、熱消費端末１０が運転されているとき、第１温度センサＴ１で測定される熱消費用熱媒の温度が目標温度になるように第２加熱部４１の加熱量を制御する。
尚、メモリに記憶される目標温度は、熱消費端末１０毎に設定されており、例えば、床暖房装置であれば４０℃、浴室暖房乾燥機であれば８０℃、デシカント空調機であれば８０℃といった値に予め定められている。
【００２２】
以上の構成を採用することにより、第１加熱機器２０側では、第１熱源部Ｈからの供給熱量を、貯湯槽５０への蓄熱具合に応じて、第１加熱部２１側と貯湯槽５０とに振り分ける形態で、供給熱量の適切な配分が実行されると共に、熱消費端末１０へは、各熱消費端末１０で要求される目標温度に設定された熱消費熱媒を供給することになる。
【００２３】
次に、第１熱源部Ｈの出口の第４温度センサＴ４の温度が所定の目標温度（例えば、７０℃）に制御できない場合について説明する。制御できない場合とは、例えば、所定の目標温度が７０℃であっても、第１熱源部Ｈにおける供給熱量や給湯用熱媒循環ポンプＰ２の出力下限などが制約となって、第１熱源部Ｈの出口の熱消費熱媒の温度を７０℃まで上昇させられない場合のことである。この場合、第１制御部Ｃ１は、例外処理として、第１熱源部Ｈの出口の第４温度センサＴ４の温度が所定の目標温度（例えば、７０℃）になるべく近い温度となるように、給湯用熱媒循環ポンプＰ２の回転速度を制御することとなる。
当該例外処理が実行される場合であっても、第２制御部Ｃ２により第２加熱部４１の加熱量を適切に制御することにより、熱消費端末１０へは要求される目標温度に調整された熱消費用熱媒が導かれることになる。
【００２４】
貯湯槽５０に貯湯された給湯用熱媒（例えば、湯水）は、例えば、給湯利用箇所Ｑから供給可能に構成されている。
貯湯槽５０には、その下部から給水圧により貯湯槽５０の内部へ給水を供給する給水流路５１が接続されると共に、その上部から給水圧により貯湯槽５０の上方に貯留された湯水を吐出する吐出流路５３が接続され、当該吐出流路５３には当該吐出流路５３を通流する給水の流量を調整する比例弁Ｖ１が設けられている。
給水流路５１と吐出流路５３とを貯湯槽５０をバイパスする状態で接続する第１混合流路５２が設けられると共に、当該第１混合流路５２を開閉する開閉弁Ｖ２が設けられている。吐出流路５３と第１混合流路５２との合流部である第１合流部Ｇ１での合流後で第２加熱部４１による加熱前の吐出流路５３には、第１合流部Ｇ１の近傍において、加熱前の混合温度を検出する第２温度センサＴ２が設けられている。
【００２５】
吐出流路５３は、第２加熱部４１の内部を通流する加熱流路５４に接続されている。吐出流路５３と加熱流路５４との接続部位は、第２加熱部４１をバイパスする状態で第２混合流路５５の上流端が接続されると共に、加熱流路５４と第２混合流路５５との給湯用熱媒の流量比を調整可能な三方弁Ｖ３が設けられている、第２混合流路５５の下流端は、加熱流路５４の第２加熱部４１の下流側の第２合流部Ｇ２に接続されている。
吐出流路５３において、第２温度センサＴ２の下流側で三方弁Ｖ３の近傍には、加熱前の混合温度を検出する第５温度センサＴ５が設けられている。
第２合流部Ｇ２には、給湯利用箇所Ｑ（例えば、給湯栓）に接続される給湯流路５６が接続されており、当該給湯流路５６には、加熱後の混合温度を測定する第３温度センサＴ３が設けられると共に、給湯流路５６に湯水が通流しているか否かを検出可能な水量センサＦが設けられている。
【００２６】
因みに、給水流路５１は、流入部３５を介して第１加熱機器２０の内外で接続されており、吐出流路５３は、流出部３６を介して第１加熱機器２０の内外で接続されると共に、流入部４４を介して第２加熱機器４０の内外で接続されており、給湯流路５６は、流出部４５を介して第２加熱機器４０の内外で接続されている。
尚、給湯に関連する構成について、第１加熱機器２０の内部には、給水流路５１の一部、第１混合流路５２、吐出流路５３の一部、比例弁Ｖ１、開閉弁Ｖ２、第１合流部Ｇ１、及び第２温度センサＴ２が設けられており、第２加熱機器４０の内部には、吐出流路５３の一部、加熱流路５４、第２混合流路５５、給湯流路５６の一部、三方弁Ｖ３、第２合流部Ｇ２、第３温度センサＴ３、第５温度センサＴ５、及び水量センサＦが設けられている。
【００２７】
第１制御部Ｃ１は、リモコン（図示せず）から給湯運転の開始の信号を受けると、開閉弁Ｖ２を開放すると共に比例弁Ｖ１の開度を制御する形態で、第２温度センサＴ２にて計測される加熱前の混合温度を給湯目標温度に制御する。因みに、第１制御部Ｃ１は、貯湯槽５０への貯湯不足により、第２温度センサＴ２の温度が給湯目標温度未満にしか制御できない場合、比例弁Ｖ１を閉弁して開閉弁Ｖ２を開弁した状態で、給水を直接吐出流路５３へ供給する。
第２制御部Ｃ２は、水量センサＦによる計測にて給湯運転を検出した場合、第５温度センサＴ５の計測結果に基づいて、第３温度センサＴ３にて測定される加熱後の混合温度が、給湯運転で設定された給湯目標温度になるように、第２加熱部４１の加熱量及び三方弁Ｖ３の開度を制御する。
【００２８】
〔計算結果について〕
次に、貯湯槽５０への貯湯量毎及び季節毎に、上記実施形態に係る制御を実行した場合における、第１加熱部２１での熱消費用熱媒の加熱量と、貯湯槽５０への貯湯熱量との優先度が切り換えられることを計算結果で示す。
前提条件として、第１熱源部Ｈでの給湯用熱媒の加熱量を４００Ｗとし、第１加熱部２１の入口での熱消費用熱媒の温度を５０℃とし、第１加熱部２１を通流する熱消費用熱媒の流量を２Ｌ／ｍｉｎとし、第４温度センサＴ４にて計測される所定の目標温度を７０℃とした。
冬期において、貯湯槽５０が満タンでない場合、貯湯槽５０から給湯用熱媒循環路２５へ吐出される給湯用熱媒の温度は１０℃であり、給湯用熱媒循環路２５における給湯用熱媒の循環流量が０．１Ｌ／ｍｉｎとなるように、給湯用熱媒循環ポンプＰ２の回転速度が制御される。このとき、第１加熱部２１を通過直後の熱消費用熱媒の温度は、５０．９℃となり、貯湯槽５０へ流入する給湯用熱媒の温度は、５２℃となる。
夏期において、貯湯槽５０が満タンでない場合、貯湯槽５０から給湯用熱媒循環路２５へ吐出される給湯用熱媒の温度は２５℃であり、給湯用熱媒循環路２５における給湯用熱媒の循環流量が０．１３Ｌ／ｍｉｎとなるように、給湯用熱媒循環ポンプＰ２の回転速度が制御される。このとき、第１加熱部２１を通過直後の熱消費用熱媒の温度は、５１．２℃となり、貯湯槽５０へ流入する給湯用熱媒の温度は、５２℃となる。
貯湯槽５０が満タンである場合、貯湯槽５０から給湯用熱媒循環路２５へ吐出される給湯用熱媒の温度は季節に関わらず５０℃となり、給湯用熱媒循環路２５における給湯用熱媒の循環流量が０．２９Ｌ／ｍｉｎとなるように、給湯用熱媒循環ポンプＰ２の回転速度が制御される。このとき、第１加熱部２１を通過直後の熱消費用熱媒の温度は、５２．６℃となり、貯湯槽５０へ流入する給湯用熱媒の温度は、５２℃となる。
【００２９】
〔別実施形態〕
（１）上記実施形態では、本発明の熱媒加熱システムの構成について具体例を挙げて説明したが、その構成は適宜変更可能である。
例えば、第１加熱機器２０及び第２加熱機器４０の構成は図示したものに限定されず適宜変更可能である。
【００３０】
（２）上記実施形態では、熱消費端末１０での目標温度について具体的な数値を挙げて説明したが、それらの数値は例示目的で記載したものであり適宜変更可能である。
【００３１】
（３）上記実施形態において、第１制御部Ｃ１は、第４温度センサＴ４により検出された給湯用熱媒の温度が、所定の目標温度として７０℃に制御する制御例を示した。
しかしながら、当該所定の目標温度としては、７０℃以外の温度に設定することができ、適宜、貯湯槽５０への貯湯目標温度等に基づいて、適宜設定することができる。
【００３２】
（４）上記実施形態において、第１制御部Ｃ１は、第４温度センサＴ４にて計測される温度が、所定の目標温度（例えば、７０℃）となるように、給湯用熱媒循環ポンプＰ２の回転速度を制御する制御例を示した。
ここで、第１熱源部Ｈとして、例えば、水自立を必要とする燃料電池を採用する場合、第１熱源部Ｈへ導かれる給湯用熱媒の温度は、燃料電池の排ガスの露点以下（例えば、４０℃程度の温度）に設定する必要がある。
しかしながら、上記実施形態の制御を実行している場合で、貯湯槽５０の貯湯量が満タンになった場合、第１熱源部Ｈには７０℃程度の給湯用熱媒が導かれるため、第１熱源部Ｈとしての燃料電池で水自立が実現できないこととなる。
そこで、別の構成例として、例えば、図２に示すように、給湯用熱媒循環路２５において貯湯槽５０から第１熱源部Ｈへ給湯用熱媒が通流する循環路部位において、給湯用熱媒を放熱するラジエタ６０を備える構成を採用しても構わない。
次に、当該構成で貯湯槽５０が満タン時における計算結果を示す。尚、前提条件は、上記実施形態と同様である。
貯湯槽５０が満タンである場合、貯湯槽５０から給湯用熱媒循環路２５へ吐出される給湯用熱媒の温度は季節に関わらず５０℃となるが、ラジエタ６０の出口で４０℃となる。そして、給湯用熱媒循環路２５における給湯用熱媒の循環流量が０．１９Ｌ／ｍｉｎとなるように、給湯用熱媒循環ポンプＰ２の回転速度が制御される。このとき、第１加熱部２１を通過直後の熱消費用熱媒の温度は、５１．７℃となり、貯湯槽５０へ流入する給湯用熱媒の温度は、５２℃となる。
【００３３】
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００３４】
本発明の熱媒加熱システムは、非ガス燃焼加熱機器にて給湯用熱媒が回収した熱に関し、比較的シンプルな制御にて、第１加熱部と貯湯槽との夫々に対する熱供給の優先度を適切に調整することができる熱媒加熱システムとして、有効に利用可能である。
【符号の説明】
【００３５】
１０  ：熱消費端末
２０  ：第１加熱機器
２１  ：第１加熱部
２５  ：給湯用熱媒循環路
４０  ：第２加熱機器
４１  ：第２加熱部
５０  ：貯湯槽
Ｃ１  ：第１制御部
Ｃ２  ：第２制御部
Ｈ    ：第１熱源部
Ｌ１  ：熱消費用熱媒第１流路
Ｌ２  ：熱消費用熱媒第２流路
Ｌ３  ：熱消費用熱媒第３流路
Ｐ１  ：熱消費用熱媒循環ポンプ
Ｐ２  ：給湯用熱媒循環ポンプ
Ｔ４  ：第４温度センサ
【図１】
2019070452.tif 000003
【図２】
2019070452.tif 000004